(57)【要約】【課題】  送風機の自動停止時に内気温を的確に検出する。【解決手段】  送風機制御手段によって、送風機の風量を自動制御する制御と、送風機を空調熱負荷条件に基づいて自動停止する制御とを行うようになっている自動制御方式の車両用空調装置であって、内気温検出装置６０に、車室内空気温度を検出する内気温センサ３２と、車室内空気を吸入して内気温センサ３２の周囲を流通させる電動ファン５３と、空調ケース２からの熱が内気温センサ３２に伝達することを阻止する断熱カバー５４とを備える。【選択図】        図６
2006027389.tif 000002
【特許請求の範囲】
【請求項１】
車室内へ吹き出す空気の温度および前記車室内へ吹き出す空気の風量を自動制御する自動制御方式の車両用空調装置において、
前記車室内へ向かって空気を送風する送風機（８）と、
前記送風機（８）の送風空気と熱交換を行う熱交換器（９、１５）と、
前記送風機（８）および前記熱交換器（９、１５）を内蔵し、前記車室内へ向かう空気の通路を形成する空調ケース（２）と、
前記送風機（８）の作動を自動制御する送風機制御手段（Ｓ７０、Ｓ９０）と、
車室内温度を検出する内気温検出装置（６０）と、
車室内へ吹き出す空気の温度を調整する温度調整手段（１７）と、
少なくとも前記内気温検出装置（６０）の検出温度に基づいて前記温度調整手段（１７）の操作位置を自動制御する吹出温度制御手段（Ｓ２０、Ｓ４０、Ｓ５０）とを備え、
前記送風機制御手段（Ｓ７０、Ｓ９０）は、前記送風機（８）の風量を自動制御する制御と、前記送風機（８）を空調熱負荷条件に基づいて自動停止する制御とを行うようになっており、
前記内気温検出装置（６０）は、車室内空気温度を検出する内気温センサ（３２）と、車室内空気を吸入して前記内気温センサ（３２）の周囲を流通させる電動ファン（５３）と、前記空調ケース（２）からの熱が前記内気温センサ（３２）に伝達することを阻止する断熱手段（５４、５０）とを有することを特徴とする車両用空調装置。
【請求項２】
前記内気温センサ（３２）および前記電動ファン（５３）の外面側を被覆する断熱カバー（５４）を有し、前記断熱カバー（５４）により前記断熱手段を構成することを特徴とする請求項１に記載の車両用空調装置。
【請求項３】
前記内気温検出装置（６０）および前記空調ケース（２）がともに車両計器盤（５０）の内側部に配置されていることを特徴とする請求項１または２に記載の車両用空調装置。
【請求項４】
前記空調ケース（２）が車両計器盤（５０）の内側部に配置され、前記内気温検出装置（６０）が前記車両計器盤（５０）の外側部に配置され、
前記車両計器盤（５０）自体により前記断熱手段を構成することを特徴とする請求項１に記載の車両用空調装置。
【請求項５】
前記内気温検出装置（６０）が前記車両計器盤（５０）の外側面から突出するように配置されていることを特徴とする請求項４に記載の車両用空調装置。
【請求項６】
前記車両計器盤（５０）にその内側方向に凹んだ凹部（５０ｂ）を形成し、
前記凹部（５０ｂ）内に前記内気温検出装置（６０）が配置されていることを特徴とする請求項４に記載の車両用空調装置。
【発明の詳細な説明】
【技術分野】
【０００１】
本発明は、送風機の自動停止制御を実行する車両用空調装置において、内気温の検出装置に関する。
【背景技術】
【０００２】
従来、車両用空調装置においては、車室内温度（内気温）を乗員の設定温度に維持するための目標吹出空気温度ＴＡＯを算出し、この目標吹出空気温度ＴＡＯの高低に応じて送風機の風量（車室内吹出空気の風量）を自動制御している（例えば、特許文献１参照）。
【０００３】
より具体的には、目標吹出空気温度ＴＡＯの低温域および高温域において送風機の風量を大きくし、ＴＡＯの中間温度域において送風機の風量を小さくするように、送風機の回転数を高回転域から低回転域にわたって連続的に自動制御している。
【特許文献１】特開昭５８−２６６１８号公報
【発明の開示】
【発明が解決しようとする課題】
【０００４】
しかし、従来技術では、空調装置の起動後は常に送風機が作動し続ける構成になっている。そのため、空調装置の起動後時間が経過して車室内の空調状態が進行し、車室内温度が設定温度付近に到達し、車室内が快適な空調状態になった後も、送風機が作動し続ける。このため、乗員によっては送風機の作動音が煩わしいと感じて、送風機作動スイッチを手動操作して送風機を停止する場合がある。
【０００５】
このことは、自動制御方式の空調装置であるにもかかわらず、乗員に送風機作動スイッチの手動操作を強いることになり、自動制御方式の特徴を損なうことになる。
【０００６】
そこで、本発明者は、乗員が送風機を停止したいと感じる空調条件を自動判定して送風機を自動停止する車両用空調装置を先に特願２００４−５８５９９号の特許出願にて提案している。
【０００７】
この先願のように送風機を自動停止する制御を行う車両用空調装置においても、車両走行時に外気モードを選択している場合は、車両走行動圧（ラム圧）により外気が空調装置通風路内に導入されるので、送風機を自動停止しても、温度調整した外気空調風を車室内へ吹き出すことができる。
【０００８】
ところで、内気温を検出する内気温検出装置としてはアスピレータ方式が代表的である。このアスピレータ方式は、図１１に示すように、内気吸入口５１から車室内空気を吸入するセンサケース５２内に内気温センサ（サーミスタ）３２を収容するとともに、センサケース５２をアスピレータホース５６によりアスピレータ本体部５７に結合している。
【０００９】
このアスピレータ本体部５７は、室内空調ユニット１の空調ケース２の開口部５８の周辺壁面に取り付けられ、開口部５８から空調ケース２内の空気を僅少量導入し、この導入空気を絞り部５７ａで絞ることにより負圧を発生するようになっている。
【００１０】
これにより、車室内空気を内気吸入口５１→センサケース５２→アスピレータホース５６を経てアスピレータ本体部５７内に吸入して、センサケース５２内の内気温センサ３２にて内気温（車室内温度）を検出している。
【００１１】
しかし、先願によると、送風機の自動停止時には室内空調ユニット内の空気流れの風量が０になったり、大幅に減少するので、アスピレータ方式の内気温検出装置では、内気温センサ３２周囲を通過する空気流量も０になったり、大幅に減少する。
【００１２】
これに加え、送風機の自動停止時には室内空調ユニット１の空調ケース２温度がヒータコア（暖房用熱交換器）１５の熱の影響で上昇する。そして、室内空調ユニット１の空調ケース２に対してセンサケース５２がアスピレータホース５６およびアスピレータ本体部５７を経て熱的に結合されているので、センサケース５２の温度も上昇する。
【００１３】
この結果、先願のものでは、送風機の自動停止時に内気温の検出精度が低下することが分かった。
【００１４】
本発明は上記点に鑑み、送風機の自動停止制御を行う車両用空調装置において、送風機の自動停止時に内気温を的確に検出することを目的とする。
【課題を解決するための手段】
【００１５】
上記目的を達成するため、請求項１に記載の発明では、車室内へ吹き出す空気の温度および前記車室内へ吹き出す空気の風量を自動制御する自動制御方式の車両用空調装置において、
前記車室内へ向かって空気を送風する送風機（８）と、
前記送風機（８）の送風空気と熱交換を行う熱交換器（９、１５）と、
前記送風機（８）および前記熱交換器（９、１５）を内蔵し、前記車室内へ向かう空気の通路を形成する空調ケース（２）と、
前記送風機（８）の作動を自動制御する送風機制御手段（Ｓ７０、Ｓ９０）と、
車室内温度を検出する内気温検出装置（６０）と、
車室内へ吹き出す空気の温度を調整する温度調整手段（１７）と、
少なくとも前記内気温検出装置（６０）の検出温度に基づいて前記温度調整手段（１７）の操作位置を自動制御する吹出温度制御手段（Ｓ２０、Ｓ４０、Ｓ５０）とを備え、
前記送風機制御手段（Ｓ７０、Ｓ９０）は、前記送風機（８）の風量を自動制御する制御と、前記送風機（８）を空調熱負荷条件に基づいて自動停止する制御とを行うようになっており、
前記内気温検出装置（６０）は、車室内空気温度を検出する内気温センサ（３２）と、車室内空気を吸入して前記内気温センサ（３２）の周囲を流通させる電動ファン（５３）と、前記空調ケース（２）からの熱が前記内気温センサ（３２）に伝達することを阻止する断熱手段（５４、５０）とを有することを特徴としている。
【００１６】
これによると、先願と同様に、空調熱負荷条件に基づいて送風機（８）を自動停止するから、快適な空調状態において送風機（８）の作動音をなくして車室内を静粛な環境とすることができ、乗員の快適性を一層向上できる。しかも、乗員に手動操作の煩わしさを与えることがないから、実用上極めて有利である。
【００１７】
更に、内気温検出装置（６０）に車室内空気を吸入して内気温センサ（３２）の周囲を流通させる電動ファン（５３）を備えているから、送風機（８）の自動停止時にもセンサ専用の電動ファン（５３）により内気温センサ（３２）に対して車室内空気を必要な風量だけ送風できる。
【００１８】
また、送風機（８）の自動停止時に空調ケース（２）の温度が暖房用熱交換器（１５）の熱で温度上昇しても、空調ケース（２）からの熱が内気温センサ（３２）に伝達することを断熱手段（５４、５０）により阻止できる。
【００１９】
このようにセンサ専用の電動ファン（５３）による車室内空気の送風作用と、断熱手段（５４、５０）による空調ケース（２）からの熱の遮断作用とを組み合わせることにより、送風機（８）の自動停止時にも内気温の検出精度を確保して、車室内吹出空気の温度制御を良好に行うことができる。
【００２０】
請求項２に記載の発明のように、請求項１に記載の車両用空調装置において、前記内気温センサ（３２）および前記電動ファン（５３）の外面側を被覆する断熱カバー（５４）を有し、前記断熱カバー（５４）により前記断熱手段を構成できる。
【００２１】
請求項３に記載の発明のように、請求項１または２に記載の車両用空調装置において、前記内気温検出装置（６０）および前記空調ケース（２）をともに車両計器盤（５０）の内側部に配置してよい。
いる。
【００２２】
請求項４に記載の発明では、請求項１に記載の車両用空調装置において、空調ケース（２）が車両計器盤（５０）の内側部に配置され、前記内気温検出装置（６０）が前記車両計器盤（５０）の外側部に配置され、
前記車両計器盤（５０）自体により前記断熱手段を構成することを特徴とする。
【００２３】
これによると、既存の車両計器盤（５０）自体を断熱手段として利用することにより、送風機（８）の自動停止時における内気温の検出精度を確保できる。従って、内気温検出装置（６０）専用の断熱手段を新たに設定せずに済み、内気温検出装置（６０）のコストを低減できる。
【００２４】
請求項５に記載の発明のように、請求項４に記載の車両用空調装置において、前記内気温検出装置（６０）を前記車両計器盤（５０）の外側面から突出するように配置してよい。
【００２５】
請求項６に記載の発明のように、請求項４に記載の車両用空調装置において、前記車両計器盤（５０）にその内側方向に凹んだ凹部（５０ｂ）を形成し、
前記凹部（５０ｂ）内に前記内気温検出装置（６０）を配置するようにしてもよい。
【００２６】
なお、上記各手段の括弧内の符号は、後述する実施形態に記載の具体的手段との対応関係を示すものである。
【発明を実施するための最良の形態】
【００２７】
（第１実施形態）
図１は、第１実施形態の全体構成の概要を示すもので、車両用空調装置は車室内最前部に位置する計器盤５０（後述の図  参照）の内側部に配設される室内空調ユニット１を備えている。
【００２８】
この室内空調ユニット１はケース２を有し、このケース２内に車室内へ向かって空気が送風される空気通路を構成する。このケース２の空気通路の最上流部に内気導入口３および外気導入口４を有する内外気切替箱５を配置している。この内外気切替箱５内に、内外気切替手段としての内外気切替ドア６を回転自在に配置している。
【００２９】
この内外気切替ドア６はサーボモータ７によって駆動されるもので、内気導入口３より
内気（車室内空気）を導入する内気モードと外気導入口４より外気（車室外空気）を導入
する外気モードとを切り替える。
【００３０】
内外気切替箱５の下流側には車室内に向かう空気流を発生させる電動式の送風機８を配
置している。この送風機８は、遠心式の送風ファン８ａをモータ８ｂにより駆動するよう
になっている。送風機８の下流側にはケース２内を流れる空気を冷却する蒸発器９を配置
している。この蒸発器９は、送風機８の送風空気を冷却する冷房用熱交換器で、冷凍サイ
クル装置１０を構成する要素の一つである。
【００３１】
なお、冷凍サイクル装置１０は、圧縮機１１の吐出側から、凝縮器１２、受液器１３お
よび減圧手段をなす膨張弁１４を介して蒸発器９に冷媒が循環するように形成された周知
のものである。凝縮器１２には電動式の冷却ファン１２ａによって室外空気（冷却空気）
が送風される。
【００３２】
冷凍サイクル装置１０において、圧縮機１１は電磁クラッチ１１ａを介して車両エンジ
ン（図示せず）により駆動される。従って、電磁クラッチ１１ａの通電の断続により圧縮
機１１の作動を断続制御できる。また、蒸発器９は、膨張弁１４にて減圧された後の低温
低圧の気液２相状態の冷媒が送風機８の送風空気から吸熱して蒸発することにより、送風
空気を冷却する。
【００３３】
一方、室内空調ユニット１において、蒸発器９の下流側にはケース２内を流れる空気を
加熱するヒータコア１５を配置している。このヒータコア１５は車両エンジンの温水（エ
ンジン冷却水）を熱源として、蒸発器９通過後の空気（冷風）を加熱する暖房用熱交換器
である。ヒータコア１５の側方にはバイパス通路１６が形成され、このバイパス通路１６
をヒータコア１５のバイパス空気が流れる。
【００３４】
蒸発器９とヒータコア１５との間に温度調整手段をなすエアミックスドア１７を回転自
在に配置してある。このエアミックスドア１７はサーボモータ１８により駆動されて、そ
の回転位置（開度）が連続的に調整可能になっている。
【００３５】
このエアミックスドア１７の開度によりヒータコア１５を通る空気量（温風量）と、バ
イパス通路１６を通過してヒータコア１５をバイパスする空気量（冷風量）との割合を調
節し、これにより、車室内に吹き出す空気の温度を調整するようになっている。
【００３６】
ケース２の空気通路の最下流部には、車両の前面窓ガラスＷに向けて空調風を吹き出す
ためのデフロスタ吹出口１９、乗員の顔部に向けて空調風を吹き出すためのフェイス吹出
口２０、および乗員の足元部に向けて空調風を吹き出すためのフット吹出口２１の計３種
類の吹出口が設けられている。
【００３７】
これら吹出口１９〜２１の上流部にはデフロスタドア２２、フェイスドア２３およびフットドア２４が回転自在に配置されている。これらのドア２２〜２４は、図示しないリンク機構を介して共通のサーボモータ２５によって開閉操作される。
【００３８】
次に、本実施形態の電気制御部の概要を説明すると、空調制御装置３０は、ＣＰＵ、ＲＯＭおよびＲＡＭ等を含む周知のマイクロコンピュータとその周辺回路から構成される。この空調制御装置３０は、そのＲＯＭ内に空調制御のための制御プログラムを記憶しており、その制御プログラムに基づいて各種演算、処理を行う。
【００３９】
空調制御装置３０の入力側にはセンサ群３１〜３５からセンサ検出信号が入力され、また、車室内前部の計器盤（図示せず）付近に配置される空調パネル３６から各種操作信号が入力される。
【００４０】
センサ群としては、具体的には、外気温（車室外温度）Ｔａｍを検出する外気温センサ３１、内気温（車室内温度）Ｔｒを検出する内気温センサ３２、車室内に入射する日射量Ｔｓを検出する日射センサ３３、蒸発器９の空気吹出部に配置されて蒸発器吹出空気温度Ｔｅを検出する蒸発器温度センサ３４、ヒータコア１５に流入する温水（エンジン冷却水）温度Ｔｗを検出する水温センサ３５等が設けられる。
【００４１】
また、空調パネル３６には各種操作スイッチとして、図２に示すスイッチ３７〜４３が設けられている。温度設定スイッチ３７は車室内の設定温度の信号を出すもので、設定温度上昇用スイッチ３７ａと、設定温度低下用スイッチ３７ｂと、設定温度表示部３７ｃとを備えている。
【００４２】
吹出モードスイッチ３８は吹出モードドア２２〜２４により設定される各種吹出モードをマニュアル設定するための信号を出すもので、フェイスモードスイッチ３８ａ、バイレベルモードスイッチ３８ｂ、フットモードスイッチ３８ｃ、フットデフロスタモードスイッチ３８ｄ、およびデフロスタモードスイッチ３８ｅを備えている。
【００４３】
内外気切替スイッチ３９は内外気切替ドア６による内気モードと外気モードをマニュアル設定する信号を出すもので、内気モードスイッチ３９ａと外気モードスイッチ３９ｂを備えている。
【００４４】
エアコンスイッチ４０は圧縮機１１の作動指令信号（電磁クラッチ１１ａのＯＮ信号）を出すものである。エコノミースイッチ４１はエアコンスイッチ４０の投入時よりも目標蒸発器吹出温度ＴＥＯを引き上げる信号を出して圧縮機１１の稼働率を低下させるものである。
【００４５】
送風機作動スイッチ４２は送風機８の風量切替をマニュアル設定するための信号を出すもので、送風機８を停止するＯＦＦスイッチ４２ａ、低風量用スイッチ４２ｂ、第１中風量用スイッチ４２ｃ、第１中風量より所定量多い第２中風量用のスイッチ４２ｄ、および大風量用スイッチ４２ｅを備えている。
【００４６】
オートスイッチ４３は空調自動制御状態の指令信号を出すもので、オートスイッチ４３をオン状態にすると、エアコンスイッチ４０およびエコノミースイッチ４１がオフ状態であっても、電磁クラッチ１１ａに通電して、圧縮機１１を作動状態にし、かつ、各種空調機器の作動を自動制御する状態にする。
【００４７】
空調制御装置３０の出力側には、圧縮機１１の電磁クラッチ１１ａ、各機器の電気駆動手段をなすサーボモータ７、１８、２５、送風機８のモータ８ｂ、凝縮器冷却ファン１２ａのモータ１２ｂ等が接続され、これらの機器の作動が空調制御装置３０の出力信号により制御される。
【００４８】
次に、上記構成において本実施形態の作動を説明する。最初に、室内空調ユニット１の
作動の概要を説明すると、送風機８を作動させることにより、内気導入口３または外気導
入口４より導入された空気がケース２内を車室内に向かって送風される。また、電磁クラ
ッチ１１ａに通電して電磁クラッチ１１ａを接続状態とし、圧縮機１１を車両エンジンに
て駆動することにより、冷凍サイクル装置１０内を冷媒が循環する。
【００４９】
送風機８の送風空気は、先ず蒸発器９を通過して冷却、除湿され、この冷風は次にエア
ミックスドア１７の回転位置（開度）に応じてヒータコア１５を通過する流れとバイパス
通路１６を通過する流れとに分けられる。ヒータコア１５を通過する流れは加熱されて温
風となり、バイパス通路１６を通過する流れは冷風のままである。
【００５０】
従って、エアミックスドア１７の開度によりヒータコア１５を通る空気量（温風量）と
、バイパス通路１６を通過する空気量（冷風量）との割合を調整し、これにより、車室内
に吹き出す空気の温度を調整できる。そして、この温度調整された空調風が、ケース２の
空気通路の最下流部に位置するデフロスタ吹出口１９、フェイス吹出口２０およびフット
吹出口２１のうち、いずれか１つまたは複数の吹出口から車室内へ吹き出して、車室内の
空調および車両の前面窓ガラスＷの曇り止めを行う。
【００５１】
次に、本実施形態による空調自動制御を図３に基づいて説明する。図３は空調制御装置３０のマイクロコンピュータにより実行される制御ルーチンのフローチャートであり、こ
の制御ルーチンはオートスイッチ４３の投入によりスタートし、先ず、ステップＳ１０に
てセンサ群３１〜３５の検出信号、空調パネル３６からの各種操作信号等を読み込む。
【００５２】
次に、ステップＳ２０にて車室内への吹出空気の目標吹出温度ＴＡＯを算出する。この
目標吹出温度ＴＡＯは空調熱負荷変動にかかわらず、空調パネル３６の温度設定スイッチ
３７により乗員が設定した設定温度Ｔｓｅｔに車室内温度を維持するために必要な車室内
吹出空気温度である。このＴＡＯは設定温度Ｔｓｅｔ、外気温Ｔａｍ、内気温Ｔｒ、日射
量Ｔｓに基づいて下記数式（１）により算出する。
【００５３】
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ  （１）
但し  Ｋｓｅｔ、Ｋｒ、Ｋａｍ、Ｋｓ：制御ゲイン
Ｃ：補正用の定数
次に、ステップＳ３０にて目標蒸発器吹出温度ＴＥＯを算出する。ここで、目標蒸発器
吹出温度ＴＥＯは、主に、車室内吹出空気の温度制御、車両前面窓ガラスＷの曇り止め制
御、圧縮機１１の省動力（エコノミー）制御、車室内湿度制御等のために決定される制御値であって、周知のごとく目標吹出温度ＴＡＯ、外気温度Ｔａｍ、車室内湿度等に応じて算出される。
【００５４】
次に、ステップＳ４０にてエアミックスドア１７の目標開度ＳＷを、目標吹出温度ＴＡ
Ｏと、蒸発器温度センサ３４により検出される蒸発器吹出空気温度Ｔｅと、水温センサ４
４により検出される温水温度Ｔｗとに基づいて次式（２）により算出する。
【００５５】
ＳＷ＝｛（ＴＡＯ−Ｔｅ）／（Ｔｗ−Ｔｅ）｝×１００（％）    （２）
次に、ステップＳ５０にて、エアミックスドア１７の実際の開度が上記目標開度ＳＷと
なるように、サーボモータ１８によりエアミックスドア１７を駆動制御する。これにより
、車室内吹出温度が目標吹出温度ＴＡＯとなるように制御され、車室内温度Ｔｒが設定温
度Ｔｓｅｔに維持される。
【００５６】
なお、ＳＷ＝０（％）は、エアミックスドア１７の最大冷房位置であり、バイパス通路
１６を全開し、ヒータコア１５側の通風路を全閉する。これに対し、ＳＷ＝１００（％）
は、エアミックスドア１７の最大暖房位置であり、バイパス通路１６を全閉し、ヒータコ
ア１５側の通風路を全開する。
【００５７】
次に、ステップＳ６０にて目標吹出温度ＴＡＯが、前記設定温度Ｔｓｅｔ付近の所定中
間温度域にあるか判定する。この設定温度Ｔｓｅｔ付近の所定中間温度域は具体的には１
８℃〜３４℃である。前記設定温度Ｔｓｅｔは、乗員が快適と感じる温度であって、通常
、２５℃前後の温度が設定される。
【００５８】
従って、ＴＡＯ＝１８℃〜３４℃という、この中間温度域は、室内空調ユニット１の空調熱負荷が最小となる温度域であると言うことができる。ここで、室内空調ユニット１の空調熱負荷とは、車室内温度Ｔｒを設定温度Ｔｓｅｔに維持するために、室内空調ユニット１の吸い込み空気を冷却または加熱する熱量を言う。
【００５９】
空調装置の起動時、例えば、夏期の冷房起動時では車室内が５０℃以上にも及ぶ高温に
なることがあるので、目標吹出温度ＴＡＯが冷房起動時には−３０℃以下の低温度として
算出される。このため、ステップＳ６０の判定はＮＯとなる。
【００６０】
また、冬期の暖房起動時には車室内が逆に０℃以下のような低温になるので、目標吹出
温度ＴＡＯが暖房起動時には９０℃以上にも及ぶ高温として算出される。このため、ステ
ップＳ６０の判定はＮＯとなる。
【００６１】
このように、空調装置の起動直後の冷房立ち上げ時および暖房立ち上げ時には室内空調
ユニット１の空調熱負荷が非常に大きくなって、目標吹出温度ＴＡＯが設定温度Ｔｓｅｔ
から大きく離れた高温または低温として算出されるので、ステップＳ６０の判定がＮＯと
なり、ステップＳ７０に進む。
【００６２】
このステップＳ７０では、送風機８を作動（ＯＮ）状態にするとともに、送風機８の風
量を目標吹出温度ＴＡＯの変化に応じて自動制御する。
【００６３】
この風量制御を図４に基づいて具体的に説明すると、夏期の冷房起動時には通常、目標
吹出温度ＴＡＯが、図４の第１所定温度Ｔ１（例えば−３０℃）より低い温度として算出
されるので、送風機８の駆動モータ８ｂへの印加電圧を最大にして、送風機８の風量を最
大風量（Ｈｉ）に設定する。
【００６４】
そして、車室内の冷房が進行して車室内温度（内気温）Ｔｒが低下するにつれて目標吹
出温度ＴＡＯが上昇する。目標吹出温度ＴＡＯが第１所定温度Ｔ１以上に上昇すると、こ
れにつれて、送風機８の駆動モータ８ｂへの印加電圧を連続的に低下して送風機８の風量
を連続的に低下させる。
【００６５】
目標吹出温度ＴＡＯが第２所定温度Ｔ２（例えば８℃）まで上昇すると送風機８の風量
を最小風量（Ｌｏ）まで低下させる。
【００６６】
これに対し、冬期の暖房起動時には通常、目標吹出温度ＴＡＯが図４の第６所定温度Ｔ
６（例えば９０℃）より高い温度として算出されるので、送風機８の駆動モータ８ｂへの
印加電圧を最大にして、送風機８の風量を最大風量（Ｈｉ）に設定する。
【００６７】
なお、図４では、目標吹出温度ＴＡＯの低温側（冷房側）の最大風量（Ｈｉ）と目標吹
出温度ＴＡＯの高温側（暖房側）の最大風量（Ｈｉ）とを同一値として示しているが、一
般に最大冷房時の必要風量の方が最大暖房時の必要風量より大きいので、実際には、目標
吹出温度ＴＡＯの高温側（暖房側）の最大風量（Ｈｉ）を目標吹出温度ＴＡＯの低温側（
冷房側）の最大風量（Ｈｉ）よりも所定量小さく設定する。
【００６８】
そして、車室内の暖房が進行して車室内温度（内気温）Ｔｒが上昇するにつれて目標吹
出温度ＴＡＯが低下する。目標吹出温度ＴＡＯが第６所定温度Ｔ６以下に低下すると、こ
れにつれて、送風機８の駆動モータ８ｂへの印加電圧を連続的に低下して送風機８の風量
を連続的に低下させる。
【００６９】
目標吹出温度ＴＡＯが第５所定温度Ｔ５（例えば４４℃）まで低下すると送風機８の風
量を最小風量（Ｌｏ）まで低下させる。
【００７０】
図３において、次のステップＳ８０では、圧縮機１１を作動（ＯＮ）状態にするととも
に、圧縮機１１の能力制御を行う。具体的には、蒸発器９の吹出空気温度Ｔｅ（温度セン
サ３４の検出温度）が目標蒸発器吹出温度ＴＥＯとなるように圧縮機１１の能力制御を行
う。
【００７１】
本実施形態では、圧縮機１１として常に一定の吐出容量で作動する固定容量型圧縮機を
用いているので、具体的には、図５に示すように圧縮機１１の作動を断続制御する。すな
わち、蒸発器９の実際の吹出空気温度Ｔｅが目標蒸発器吹出温度ＴＥＯまで上昇すると、
電磁クラッチ１１ａに通電して圧縮機１１を作動状態とし、蒸発器９の実際の吹出空気温
度Ｔｅが目標蒸発器吹出温度ＴＥＯ−αまで低下すると、電磁クラッチ１１ａへの通電を
遮断して圧縮機１１を停止（ＯＦＦ）状態とする。ここで、αはハンチング防止のための
ヒステリシス幅で、例えば、１℃程度である。
【００７２】
このように、圧縮機１１の作動を断続制御することにより、圧縮機１１の稼働率、ひい
ては冷媒吐出能力が制御されて、蒸発器９の実際の吹出空気温度Ｔｅが目標蒸発器吹出温
度ＴＥＯ付近に維持される。
【００７３】
ところで、春秋の中間季節等においては、車室内空調の熱負荷が元々小さいので、送風
機８の風量を最小風量（Ｌｏ）まで低下しても、車室内温度（内気温）Ｔｒを乗員が設定
した設定温度Ｔｓｅｔ付近に維持することができる。このような空調熱負荷条件下では、
目標吹出温度ＴＡＯが前記した設定温度Ｔｓｅｔ付近の所定中間温度域（１８℃〜３４℃
）の範囲内に入る。
【００７４】
この場合には、図３のステップＳ６０の判定がＹＥＳとなるので、ステップＳ９０に進
み、送風機８の駆動モータ８ｂへの通電を遮断して送風機８を完全に停止する。続いて、
ステップＳ１００にて電磁クラッチ１１ａへの通電を遮断状態に維持して、圧縮機１１を
完全な停止状態に維持する。
【００７５】
これにより、車室内を送風機騒音が全くない静粛な雰囲気にすることができ、車室内の
快適性を向上できるとともに、送風機８の消費電力低減および圧縮機１１の駆動動力低減
効果を発揮できる。しかも、車室内空調の熱負荷が小さい状況を判定して、送風機８およ
び圧縮機１１の自動停止制御を行うから、乗員の手動操作を必要とせず、乗員に操作負担
をかけることもない。
【００７６】
更に、送風機８の風量を最小風量（Ｌｏ）にする第２所定温度Ｔ２と第５所定温度Ｔ５との温度範囲（例えば、８℃〜４４℃）の内側に入る所定温度範囲（例えば、１８℃〜３４℃）を車室内空調の熱負荷が最小となる範囲とし、この空調熱負荷最小範囲にて送風機８および圧縮機１１を自動停止しているから、送風機８および圧縮機１１の停止状態が持続されて、目標吹出温度ＴＡＯが上記空調熱負荷最小範囲（例えば、１８℃〜３４℃）の外側へ変動した場合に、送風機８が必ず最小風量で再起動する。
【００７７】
従って、送風機８が最小風量よりも高い風量で急に再起動するという違和感を乗員に与
えることを確実に回避できる。このことも乗員の快適性向上に貢献できる
なお、ステップＳ６０の判定がＹＥＳとなって、送風機８の自動停止制御を行っている場合は、空調パネル３６の送風機作動スイッチ４２のＯＦＦスイッチ４２ａおよびオートスイッチ４３に設けられた表示部４２ａ’、４３ａを点灯することにより、送風機８の自動停止制御中であることを乗員に表示できる。表示部４２ａ’、４３ａは周知の発光ダイオード等で構成すればよい。
【００７８】
ところで、送風機８の自動停止時においても内外気切替箱５の内外気切替ドア６を外気導入口４より外気（車室外空気）を導入する外気モード位置に操作することにより、車両走行動圧により外気を室内空調ユニット１のケース２内に導入し、この導入外気をエアミックスドア１７により温度調整し、その温度調整した空気を車室内へ吹き出すことができる。
【００７９】
よって、送風機８の自動停止時においても車室内吹出空気の温度制御を的確に行う必要がある。そのためには、送風機８の自動停止時においても内気温度を内気温センサ３２により的確に検出する必要がある。
【００８０】
しかるに、図１１に示す従来の代表的なアスピレータ方式の内気温検出装置では、送風機８の自動停止時に前述のごとく内気温センサ３２を通過する空気流量の減少、および室内空調ユニット１からの熱伝導の影響で内気温を的確に検出できない。
【００８１】
そこで、本実施形態においては、内気温度の的確な検出のために、内気温検出装置を図６に示すように構成している。図６において、計器盤５０のうち車室内乗員側に面する壁面に格子状のスリットを有する内気吸入口５１が開口している。この内気吸入口５１は、通常、図７に示すように計器盤５０のうち、運転席前方の位置に設定される。より具体的には、運転者の左膝の上方部付近に内気吸入口５１は設定される。なお、図７は車両右側に運転席を配置する右ハンドル車の場合を示している。
【００８２】
室内空調ユニット１は、計器盤５０の内側空間のうち助手席前方側から車両左右方向の中央部付近にわたって配置されている。
【００８３】
内気吸入口５１の内側部（計器盤５０の内側部）に樹脂製のセンサケース５２が配置され、このセンサケース５２の一端側に内気入口５２ａを設け、この内気入口５２ａを計器盤５０の内気吸入口５１に接続している。
【００８４】
センサケース５２の内部に内気温センサ３２およびセンサファン５３が配置されている。センサファン５３は軸流式送風ファン５３ａとファン駆動用モータ５３ｂとから構成される電動ファンである。ファン駆動用モータ５３ｂに空調制御装置３０を通して通電することにより、モータ５３ｂが回転してセンサファン５３が送風作用をなす。
【００８５】
センサケース５２の他端側、すなわち、センサケース５２において内気吸入口５１から離れる側の端部に内気出口５２ｂを設けている。センサケース５２の外面は、内気入口５２ａと内気出口５２ｂを除く全体を断熱カバー５４により被覆している。
【００８６】
この断熱カバー５４は室内空調ユニット１のケース２からの熱を遮断するための部材であって、断熱性に優れた樹脂多孔質断熱材等により構成される。この断熱カバー５４にはセンサケース５２の内気出口５２ｂと連通する内気出口穴５４ａが設けてある。図６では、
内気温センサ３２、センサケース５２、センサファン５３、断熱カバー５４等により内気温検出装置６０を構成している。
【００８７】
図６の内気温検出装置６０によると、ファン駆動用モータ５３ｂに空調制御装置３０を通して通電することにより、モータ５３ｂが回転してセンサファン５３が内気吸入口５１からセンサケース５２へ向かって送風作用を発揮する。
【００８８】
このセンサファン５３は空調用送風機８の作動、停止と関係なくモータ５３ｂの回転により常に所定の送風作用を発揮できる。よって、空調用送風機８の作動停止中であっても、内気温度検出のために必要な風量の内気を内気吸入口５１から吸入してセンサケース５２内へ送風できる。
【００８９】
しかも、センサケース５２と室内空調ユニット１が、計器盤５０の内側空間にて隣接配置されても、センサケース５２の外面を断熱カバー５４により被覆しているから、室内空調ユニット１の熱Ａがセンサケース５２に伝達することを断熱カバー５４により阻止できる。
【００９０】
以上のことから、送風機８の自動停止時においても、内気温度を内気温センサ３２により的確に検出でき、その検出温度に基づいて車室内吹出空気温度を的確に制御することができる。
【００９１】
図８（ａ）は第１実施形態（図６）の内気温検出装置による効果を示す実験結果であり、図８（ａ）の縦軸は温度で、横軸は時間を示す。図８（ａ）は、時間：０〜５分の間は送風機８が作動し、車室内温度（内気温）は設定温度Ｔｓｅｔ付近に維持されている。そして、時間が５分経過後に送風機８を停止している。
【００９２】
このように、送風機８の作動、停止を自動制御した場合における実際の車室内平均温度Ｔｒ０と、図６の内気温検出装置の内気温センサ３２の検出温度Ｔｒ１と、図１１に示す従来のアスピレータ方式の内気温検出装置の内気温センサ３２の検出温度Ｔｒ２とを示す。
【００９３】
なお、実際の車室内平均温度Ｔｒ０は、図８（ｂ）に示す６箇所の測定温度の平均値である。実験条件として、空調の内外気吸入モードは外気モードであり、外気温Ｔａｍは１０℃である。
【００９４】
図８（ａ）は外気温Ｔａｍ＝１０℃という冬期の暖房条件下での実験であるので、送風機８の停止後は、車室内へ吹き出す空気（温風）の風量低下により車室内平均温度Ｔｒ０は設定温度Ｔｓｅｔから徐々に低下していく。
【００９５】
第１実施形態（図６）の内気温検出装置によると、検出内気温Ｔｒ１が車室内平均温度Ｔｒ０の低下に伴って低下する傾向を示すので、送風機８の停止後でも内気温度の検出精度をある程度確保できる。
【００９６】
しかるに、従来のアスピレータ方式（図１１）では、送風機８の停止後、車室内平均温度Ｔｒ０の低下とは逆に、その検出内気温Ｔｒ２が上昇する傾向を示し、内気温の検出精度が著しく悪化する。
【００９７】
なお、第１実施形態では、図１のエアミックスドア１７により「車室内へ吹き出す空気の温度を調整する温度調整手段」を構成し、また、図３のステップＳ７０、Ｓ９０により「送風機８の作動を自動制御する送風機制御手段」を構成し、また、図３のステップＳ２０、Ｓ４０、Ｓ５０により「少なくとも内気温検出装置６０の検出温度に基づいてエアミックスドア（温度調整手段）１７の操作位置を自動制御する吹出温度制御手段」を構成している。
【００９８】
（第２実施形態）
図９は第２実施形態による内気温検出装置を示しており、計器盤５０のうち車室側の面（外面）にセンサケース５２を配置し、このセンサケース５２内部に内気温センサ３２およびセンサファン５３を配置している。センサファン５３は第１実施形態と同様に軸流式送風ファン５３ａとファン駆動用モータ５３ｂとから構成される電動ファンである。
【００９９】
センサケース５２の前面部（一端側）に格子状のスリットを有する内気入口５２ａを設け、計器盤５０のうちセンサケース５２の後方部（他端側）に位置する部位に内気出口５０ａを設けている。センサファン５３は内気を内気入口５２ａからセンサケース５２内に吸入し、その後、内気出口５０ａから計器盤５０の内側空間に内気を排出する。
【０１００】
第２実施形態によると、計器盤５０自体によって室内空調ユニット１の熱Ａがセンサケース５２に伝達することを阻止できる。従って、第１実施形態の断熱カバー５４を廃止しても、送風機８の自動停止時に第１実施形態と同程度の内気温検出精度を確保できる。
【０１０１】
（第３実施形態）
第２実施形態では計器盤５０のうち車室側の面（外面）からセンサケース５２が車室側へ突出するので、計器盤５０のデザイン上問題となる場合がある。
【０１０２】
そこで、第３実施形態では図１０に示すように、計器盤５０自体に計器盤５０の内側方向（車両前方側）へ凹んだ凹部５０ｂを形成し、この凹部５０ｂの内部に、内気温センサ３２およびセンサファン５３を配置している。凹部５０ｂの前面部（一端側）に格子状のスリットを有する内気入口５５ａを開口した前面部材５５を配置している。
【０１０３】
第３実施形態によると、計器盤５０の凹部５０ｂ内に内気温センサ３２およびセンサファン５３を配置しているので、第２実施形態によるセンサケース５２の突出形状を解消して、計器盤５０のデザイン上の問題を解決できる。
【０１０４】
また、第３実施形態においても、計器盤５０自体によって室内空調ユニット１の熱Ａがセンサケース５２に伝達することを阻止できるので、内気温検出精度の面では第２実施形態と同様の効果を発揮できる。
【０１０５】
（他の実施形態）
なお、第１実施形態では、車室内吹出空気の温度調整手段としてエアミックスドア１７を用いているが、この温度調整手段として、ヒータコア１５に流入する温水の流量や温度を調整する周知の温水弁を用いてもよい。
【０１０６】
また、車室内所定部位の表面温度を非接触で検出する赤外線センサを内気温センサとして用いれば、送風機８の自動停止時にも内気温を的確に検出できる。
【０１０７】
また、図１１に示す従来のアスピレータ方式の内気温検出装置において、送風機８の自動停止時には内気温センサ３２の検出値を所定割合だけ低温側へ補正するようにすれば、
送風機８の自動停止時における内気温検出値の精度を向上できる。
【図面の簡単な説明】
【０１０８】
【図１】本発明の第１実施形態を示す全体システム構成図である。
【図２】第１実施形態における空調パネルの正面図である。
【図３】第１実施形態の空調制御の概要を示すフローチャ−トである。
【図４】第１実施形態による送風機制御の特性図である。
【図５】第１実施形態による固定容量型圧縮機の断続制御の特性図である。
【図６】第１実施形態による内気温検出装置の具体例を示す断面図である。
【図７】第１実施形態による室内空調ユニットと内気温検出装置の計器盤に対する配置例を示す断面図である。
【図８】（ａ）は第１実施形態による内気温検出の効果を示すグラフ、（ｂ）は（ａ）の車室内平均温度の測定位置を示す説明図である。
【図９】第２実施形態による内気温検出装置の具体例を示す断面図である。
【図１０】第３実施形態による内気温検出装置の具体例を示す断面図である。
【図１１】従来のアスピレータ方式の内気温検出装置を示す断面図である。
【符号の説明】
【０１０９】
８…送風機、９…蒸発器（冷房用熱交換器）、１５…ヒータコア（暖房用熱交換器）、
１７…エアミックスドア（温度調整手段）、３０…空調制御装置、３２…内気温センサ、
５０…計器盤（断熱手段）、５３…センサファン（電動ファン）、
５４…断熱カバー（断熱手段）、６０…内気温検出装置。
【図１】
2006027389.tif 000003
【図２】
2006027389.tif 000004
【図３】
2006027389.tif 000005
【図４】
2006027389.tif 000006
【図５】
2006027389.tif 000007
【図６】
2006027389.tif 000008
【図７】
2006027389.tif 000009
【図８】
2006027389.tif 000010
【図９】
2006027389.tif 000011
【図１０】
2006027389.tif 000012
【図１１】
2006027389.tif 000013